【事件の表示】
　平成　８年特許願第　７０９７８号「Ｘ線制御装置」拒絶査定不服審判事件〔平成　９年　９月１９日出願公開、特開平　９−２４５９９０〕について、次のとおり審決する。
【結　論】
　本件審判の請求は、成り立たない。
【理　由】
第１　手続の経緯・本願発明  
　　　　本件は、平成８年２月２９日にされた特許出願（特願平８−７０９７８号。以下、「本件出願」という。）につき、拒絶査定が平成１６年１０月４日付けでされ、同月１２日に発送されたところ、この拒絶査定に対する審判が同年１１月１１日に請求され、当審において平成１９年５月１５日付けで通知した拒絶の理由に対し、意見書が同年７月１０日に提出されたものであって、本件出願の請求項１及び請求項２に係る発明は、平成１６年９月１７日提出の手続補正書により補正された明細書及び図面の記載からみて、特許請求の範囲の請求項１及び請求項２に記載された事項により特定されるとおりのものであって、その請求項１に係る発明（以下、「本願発明」という。）は次のとおりのものである。
 　　 
【請求項１】「Ｘ線撮影装置に備えられたＸ線管にＸ線管電圧、Ｘ線管電流を供給する高圧発生器や前記Ｘ線管を、指定された撮影制御条件に従って制御するＸ線制御装置において、（ａ）医師からＸ線撮影装置の操作者に対してＸ線撮影を指示するための検査依頼箋で指示され得る撮影指示項目の一覧を含む画面（以下、この画面を「撮影指示項目選択画面」という）を表示する表示手段と、（ｂ）前記撮影指示項目選択画面を前記表示手段に表示するための表示画面データを記憶しておく表示画面データ記憶手段と、（ｃ）前記表示画面データ記憶手段に記憶された表示画面データに基づき前記撮影指示項目選択画面を前記表示手段に表示させる表示制御手段と、（ｄ）前記表示手段に表示される各撮影指示項目に対する撮影制御条件を記憶しておく撮影制御条件記憶手段と、（ｅ）前記表示手段に表示された各撮影指示項目から所望の撮影指示項目を選択指示する選択指示手段と、（ｆ）前記選択指示手段で指示された撮影指示項目に対する撮影制御条件を前記撮影制御条件記憶手段から読み出す読み出し手段と、（ｇ）前記読み出し手段によって読み出された撮影制御条件に従って前記高圧発生器や前記Ｘ線管を制御する制御手段とを備えたことを特徴とするＸ線制御装置。」
　　　　　　　
第２　当審の拒絶理由 
　　　　一方、当審において平成１９年５月１５日付けで通知した拒絶の理由の概要は、本件出願の請求項１及び請求項２に係る発明は、本件出願前の平成７年１０月２４日に頒布された特開平７−２７５２３０号公報（以下、「引用刊行物Ａ」という。）に記載された発明、本件出願前の昭和６１年１０月１７日に頒布された特開昭６１−２３２８３６号公報（以下、「引用刊行物Ｂ」という。）に記載された発明及び周知の技術事項に基づいて当業者が容易に発明をすることできたものであるから、特許法第２９条第２項の規定により特許を受けることができない、というものである。
  　　　　
第３　引用刊行物に記載された発明  
　　　　上記引用刊行物Ａには、 
（Ａ−１）「【０００１】
【産業上の利用分野】本発明はアナトミカルプログラム操作及び装置に関し、更に詳しくはＸ線撮影装置の多くの撮影条件を速やかに設定することができるようにしたアナトミカルプログラム操作システムに関する。
【０００２】
【従来の技術】近年のＸ線撮影装置は、マイクロコンピュータ制御となり、撮影条件を記憶できる装置も多くなってきている。通常、このような条件記憶をアナトミカルプログラムメモリ（解剖学的撮影条件記憶）といい、従来は大きく分けてマトリクス選択方式と、ページめくり選択方式の２通りがある。記憶する撮影条件の内容は、管電圧，管電流，撮影時間，管電流・撮影時間積（ｍＡｓ）の他、撮影距離，グリッドの有無，使用増感紙，フィルム，撮影部位，術式，被写体厚等がある。管電流・撮影時間積（ｍＡｓ）は被曝量決定の目安になるもので、カメラの露光量に該当する。術式とは、撮影方法の種類のことであり、例えば○１（当審注：○１は○の中に数字１を入れた丸数字を意味する。以下、同様である。）一般撮影，○２ブッキー撮影，○３断層撮影，○４透視撮影等の種類がある。ブッキー撮影とは、フィルムにグリッドによる縞模様を出さないために、ブッキーテーブル，ブッキースタンド等を用いて、これらブッキーを振るようにしたものである。断層撮影は被写体の被検部の断面図を得るようにしたものである。透視撮影は、被写体像を表示部にリアルタイムで表示するようにしたものである。
【０００３】図８は管電圧と管電流の説明図である。図において、１はＸ線管でアノード２とカソード３からなる２極管である。４はＸ線管１に高圧を印加する高圧電源、５は電源回路に直列に接続された電流計である。この時、Ｘ線管１に印加される電圧が管電圧、回路に流れる電流が管電流である。アノード２とカソード３に高圧が印加されると、カソード３からアノード２に向けて電子ｅが照射される。アノード２の表面には、Ｘ線を発生される物質（例えばタングステン）でできており、電子ｅが衝突することにより、図に示すようなＸ線を発生する。」こと、
（Ａ−２）「【０００５】次にマトリクス選択方式・・・について説明する。図１０はマトリクス選択方式の動作説明図である。図に示すように、例えば縦方向に被写体厚選択キー１０を並べ、横方向に撮影部位選択キー１１を並べる。図では、被写体厚選択キー１０はＡ１〜Ａ４までの４個、撮影条件選択キー１１はＢ１〜Ｂ６までの６個でできている。１２はこれら選択キーで選択される撮影条件が記憶された撮影条件記憶部である。図では、Ｍ１１〜Ｍ４６までのマトリクスはそれぞれの撮影条件が記憶された番地であり、２４個の撮影条件が記憶されている。
【０００６】撮影条件の選択は、縦キーの１つと横キーの１つを押すことにより、これらキーの交点の番地に記憶されていた条件が呼び出せるようになっている。図の場合は、Ａ２キーとＢ５キーの交点のＭ２５番地（図の斜線部）に記憶されていた撮影条件が呼び出される。」こと、
（Ａ−３）「【０００８】
【発明が解決しようとする課題】前述したマトリクス選択方式の場合、記憶できる撮影条件数は、縦方向のキーの数×横方向のキーの数で決まり、通常数１０点である。勿論、縦方向と横方向のキーの数を増やせば記憶数は増やせるが、現実的ではない。そこで、図１１に示すように図１０に示す記憶部に対応させてマトリクス状の液晶タッチパネルを用いることが考えられる。この方式では、例えば希望の撮影条件のマトリクス（例えばＭ２５）を押す（タッチする）ことにより、直ちにその領域に記憶されている撮影条件が読み出されるものである。この方式によれば、マトリクスの数だけの撮影条件が記憶でき、この画面を切り替えるようにすれば記憶容量は切り替え画面数倍増える。しかしながら、現状ではまだタッチパネル式のキーは高価である。」こと、
（Ａ−４）「【００１２】
【実施例】以下、図面を参照して本発明の実施例を詳細に説明する。
　図１は本発明の一実施例を示す構成ブロック図、図２は本発明の操作パネルの外形例を示す図である。先ず、図２の操作パネルから説明する。図において、２０は術式・部位選択キーで、図ではＴ１〜Ｔ６までの６個のキーで構成される。この術式・部位選択キー２０は術式と部位を選択できるようになっている。例えば、図３に示すようにＴ１〜Ｔ３を一般撮影用、Ｔ４〜Ｔ６をブッキー撮影用に振り分ける。そして、Ｔ１は胸部，Ｔ２は腕部，Ｔ３は脚部撮影というように撮影部位を割り当てる。Ｔ４は腹部，Ｔ５は頭部，Ｔ６は腰椎撮影というように撮影部位を割り当てることができる。この術式振り分けと、撮影部位割り当ては別途設定手段（図示せず）により予め設定しておくものとする。
【００１３】再び図２において、２１は０〜９までのテンキーで、被写体厚入力用に用いられる。２２はデータをメモリに書き込む時に用いる書込みキー、２３は側方位を選択するかしないかを決定する側方位選択キー、２４は操作パネルで設定したデータを装置内部にエントリする（確定する）エンターキー、２５は設定したデータをクリアするクリアキーである。側方位選択キー２３は、このキーを押すことにより側方位が選ばれるようになっている。クリアキー２５は、設定を間違えた時にそれまでの設定をクリアするために用いる。３１〜３４は各種情報を表示する表示部で、３１は被写体厚表示部、３２は管電圧表示部、３３は管電流表示部、３４は撮影時間表示部である。
・・・
【００１５】次に、図１の構成について説明する。図２と同一のものは、同一の符号を付して示す。図において、４０は図２で説明した操作パネルで、術式・部位選択キー２０，テンキー２１，側方位選択キー２３，エンターキー２４，表示部３０等で構成されている。表示部３０は、図２の被写体厚表示部３１、管電圧表示部３２、管電流表示部３３、撮影時間表示部３４等から構成されている。
【００１６】４１は術式・部位選択キー２０のいずれかが押されたことを検知するエンコーダ、４２はテンキー２１のいずれかが押されたことを検知するエンコーダである。４３はバス、５０はバス４３に接続される各種制御用のＣＰＵである。前記エンコーダ４１，４２の出力は、バス４３を介してＣＰＵ５０に通知される。また、側方位選択キー２３及びエンターキー２４の出力は直接ＣＰＵ５０に与えられるようになっている。
【００１７】５１は各種撮影条件が前記操作部４０で入力操作されることにより定まる記憶番号と、その記憶番号対応に各種撮影条件（管電圧，管電流，撮影時間）が記憶される撮影条件記憶メモリである。６０はＸ線撮影装置であり、プログラマブル高圧電源６１、プログラム電流設定部６２及びプログラム時間設定部６３から構成されている。これらプログラマブル高圧電源６１、プログラム電流設定部６２及びプログラム時間設定部６３は、ＣＰＵ５０からその設定値が制御されるようになっている。・・・
・・・
【００２１】
　図５は本発明の撮影条件設定動作例を示すフローチャートである。
　先ず、術式・部位選択キー２０を用いて術式と部位の選択を行なう（Ｓ１）。例えば、図３の一般撮影領域キーのＴ１を押して撮影部位「胸部」を選択する。この選択情報は、バス４３を介してＣＰＵ５０に通知される。次に、側方位の撮影を行なう場合には側方位選択キー２３を押す（Ｓ２）。側方位撮影を行わない場合には押す必要はない。この選択情報は、直接ＣＰＵ５０に通知される。
【００２２】次に、テンキー２１から被写体厚を入力する（Ｓ３）。例えば、「２０」と入力する。この選択情報は、バス４３を介してＣＰＵ５０に通知される。・・・
【００２３】ＣＰＵ５０は、入力された被写体厚を被写体厚表示部３１に表示する（Ｓ６）。オペレータは、この表示を見て設定に間違いがないことを確認したら、エンターキー２４を押す（Ｓ７）。・・・
【００２４】エラーがなかった場合、ＣＰＵ５０は撮影条件記憶メモリ５１にアクセスし、それまでの入力操作で確定した記憶番号に記憶されている撮影条件を読み出す。図６は撮影条件記憶メモリ５１の構成例を示す図である。図において、記憶番号は前記入力操作により定まる番号であり、図２に示す操作パネル４０を用いた場合、４８０通りある。それに応じて記憶番号も４８０個ある。そして、それぞれの記憶番号のところには、それぞれの番号に対応した管電圧［ｋＶ］，管電流［ｍＡ］，撮影時間［Ｓｅｃ］が記憶されている。例えば、記憶番号４のところには、管電圧Ｖ４［ｋＶ］，管電流Ａ４［ｍＡ］，撮影時間Ｔ４［Ｓｅｃ］が記憶されている。これら撮影条件データは、ＣＰＵ５０により読み出され、それぞれの表示部３２〜３４に表示される（Ｓ９）。
【００２５】　次に、ＣＰＵ５０は表示されている撮影条件を実現するために、Ｘ線撮影装置６０の条件設定を行なう（Ｓ１０）。即ち、高圧電源６１に出力電圧（管電圧）を設定し、電流設定部６２に管電流を設定し、時間設定部６３に撮影時間を設定する。Ｘ線撮影装置６０は、設定された条件で被写体（図示せず）にＸ線を照射する。」ことが記載されている
（Ａ−５）また、図１１には、マトリクス状に配置された撮影条件記憶部１２に対応させてタッチパネルが設けられ、タッチパネルの希望の撮影条件のマトリクスＭ１１〜Ｍ４６何れかをタッチすることにより記憶された撮影条件を読み出すようにしたタッチパネル式のキーが描かれている。
　
　上記（Ａ−１）〜（Ａ−５）の記載のうち、特に従来例の（Ａ−３）及び（Ａ−５）の記載を参照すると、上記引用刊行物Ａには、
「Ｘ線管１に管電圧を印加する高圧電源４を備えたＸ線撮影装置において、
　選択される撮影条件が記憶された撮影条件記憶部１２と
　希望の撮影条件を読み出すためにマトリクス状に配置した液晶タッチパネルと、
　液晶タッチパネルのマトリクス（例えばＭ２５）のキーがタッチされると撮影条件記憶部１２から希望の撮影条件が読み出されるＸ線撮影装置。」の発明（以下、「引用発明」という。）が記載されているものと認める。
　　　　　　　　　　
　また、上記引用刊行物Ｂには、
（Ｂ−１）「〔発明の技術分野〕
本発明は、放射線科情報処理装置との通信機能を有するＸ線診断装置に関するものである。
〔発明の技術的背景〕
第１図は放射線科情報処理装置ＡにＸ線診断装置Ｂを接続した一般的構成を示すもので、放射線科情報処理装置Ａは受付等に設置されて全体制御系１０１，操作卓１０２，処理結果出力装置１０３を含んでいる。またＸ線診断装置Ｂは１０４Ａ，１０４Ｂ，１０４Ｃ・・・・・・１０４Ｎの複数の撮影室から成っている。
　放射線科情報処理装置Ａにおける操作卓１０２からは全体制御系１０１に対してＸ線診断装置Ｂによる検査に関する検査データが入力される。
　この検査データは検査依頼書に記述されて例えば以下のような項目から成り立っている。
（ａ）　　患者基本情報　　患者番号１氏名，生年月日，入院・外来の別，依頼科等，
（ｂ）　　撮影部位情報
（ｃ）　　撮影条件情報　　管電圧，管電流，照射時間等，
（ｄ）　　使用フィルム情報　　使用フィルムサイズ，分割等，
　これらの入力，蓄積された情報は、１日の業務終了時あるいは必要に応じて随時操作卓１０２から全体制御系１０１に統計処理指令が送られることにより、統計処理が行われてその結果が処理結果出力装置１０３からプリントアウトされる。」（１頁右下欄７行〜２頁左上欄１４行）こと、
（Ｂ−２）「ところで上記（ａ）〜（ｃ）のような結果を得るための撮影部位情報を入力するためには従来以下のような入力方式が採られていた。・・・
　○２　マルチコントロールによる方式
　全体制御系１０１との通信機能はなく、また撮影部位情報の入力を意図していないＸ線診断装置を利用し、その装置上のパネルに配置されている各部位キーを用いてキー毎に数種の撮影条件登録して、そのうちの一つを選択して撮影条件を設定する。
　〔背景技術の問題点〕
　上記２つの撮影部位情報の入力方式において、・・・
　○２の方式は、パネルに配置されている部位キーは数種類が登録されているだけであり、放射線科情報処理装置の処理上必要とされる種類（通常２００〜３００種）には遠く及ばない欠点がある。
　これはマルチコントロール方式では例えば「手」と総称される部位でも、上記放射線科情報処理装置では「手関節」、「手根胃」、「手指過」等と細かく分類する必要があるからである。このためこのマルチコントロール方式によるＸ線診断装置を利用して、放射線科情報処理装置に対して通信機能を付加するだけでは不十分である。
　またこれを補なうべく部位キー類を増加することも考えられるが、この場合はパネルの構造が複雑となつてしまうのは避けられない。
　さらに複数のＸ線診断装置が設置されている全ての撮影室において、各部位毎の撮影頻度にはバラつきがあり、全ての必要な部位をカバーするような多くの部位キーを設けるのは困難である。
　したがつて各撮影室毎に最適な種類の撮影部位情報を用意してその入力操作が容易になるようなＸ線診断装置の提供が望まれている。」（２頁右上欄７行〜右下欄１２行）こと、
（Ｂ−３）「〔発明の実施例〕
　以下本発明実施例を説明する。
　第２図は本発明実施例によるＸ線診断装置を示すブロック図である。
　２０１は患者番号人力手段で例えばテンキーのキーボードから成っている。２０２は撮影部位入力手段で例えばタッチパネルから成り、対応する領域（スイッチ部分）を押圧することにより任意の撮影部位情報を入力（選択）することができる。２０３は送信回路で当該Ｘ線診断装置Ｂの電源を投入することにより、放射線科情報処理装置Ａの中の全体制御系（図示せず）に当該装置の独自の起動信号を自動的に送信するように働く。２０４は受信回路で上記当該装置の独自の起動信号によって、当該装置の撮影室の独自の撮影部位キー配列情報が上記全体制御系から送信されてきたのを受信するように働く。全体制御系には前記操作卓１０２によって予め各撮影室に対応した複数の撮影部位キー配列情報が登録されて記憶されているので、起動信号の送信によって対応した独自の撮影部位キー配列情報が速やかに受信される。２０５は撮影部位キー配列情報記憶回路で上記受信回路２０４で受信された撮影部位キー配列情報を記憶する。
　２０６は入力部位キー判定回路で前記撮影部位入力手段２０２が操作された時、入力領域に対応した情報を上記部位キー配列記憶回路２０５から抽出する。２０７は患者毎の撮影清報記憶回路で上記抽出された情報および前患者番号入力手段から出力された患者番号の清報を記憶する。
　２０８は表示装置で前記患者基本情報等の検査データを表示する。２０９は表示内容決定回路で前記部位キー配列記憶回路２０５および患者毎の撮影情報記憶回路２０７によって制御されて上記表示装置２０８の表示内容を決定するように働く。
　第３図および第４図は以上の本発明実施例によるＸ線診断装置の装置本体を示す概略図およびこれを説明するための表の説明図である。
　３０１は装置本体でその端部にはカメラ３０２が備えられる。３０３はキーボードで第２図の患者番号入力手段２０１の具体的手段を示している。
３０４はスイッチで前記使用フィルム情報（ｄ）を人力するための具体的手段を示している。３０５はロータリースイッチで前記撮影条件情報（ｃ）を入力するための具体的手段を示している。」（３頁右上欄３行〜右下欄１１行）こと
（Ｂ−４）「３０６は表示装置で第２図の表示装置２０８の具体的手段を示しており、その下部には第２図の撮影部位入力手段２０２の具体的手段を示すタッチパネル３０７が装備されている。」（３頁右上欄３行〜右下欄１１行）こと、
（Ｂ−５）「このタッチパネル３０７には当該撮影室に最適な種類の撮影部位情報である撮影部位が一覧表で示されるようになつている。第４図（Ａ），（Ｂ），（Ｃ）はその一覧表の具体的な内容を示すものであり、（Ａ）には胸部撮影室３０７Ａに最適な種類となるような６種類の部位が示され、また（Ｂ）には骨膜部撮影室３０７Ｂに最適な種類となるような１５種類の部位が示される。もし１つのタッチパネル上に必要な部位がない場合は、上記キーボード３０３を操作することにより、（Ｃ）のようにさらに、追加の部位（例えば８種類）を容易に用意することができる。このようなタッチパネル３０７には各撮影室毎に最適な種類の撮影部位を可変的に表示させることができる。」（３頁右下欄１２行〜４頁左上欄５行）こと、
（Ｂ−６）「以上のような第２図乃至第４図の構成において、当該Ｘ線診断装置の電源を投入し上記撮影部位入力手段２０２をタッチパネル３０７を操作することにより働かせて任意な撮影部位を指定した後、前記スイッチ３０４および３０５により各々情報（ｄ）および（ｃ）を設定してＸ線診断装置によりＸ線撮影を開始する。」（４頁左上欄６〜１２行）ことが記載されている。
　　　　　　　　　　　　　　　
第４　本願発明と引用発明の対比 
　　　　本願発明と引用発明とを対比する。
　（i）　引用発明の（イ）「管電圧」、（ロ）「Ｘ線管１」がそれぞれ本願発明の（イ’）「Ｘ線管電圧」、（ロ’）「Ｘ線管」に相当する。
　さらに、上記引用刊行物Ａの（Ａ−１）の段落番号【０００３】には、高圧電源４から高圧が管電圧としてＸ線管に印加されると、回路に管電流が流れることが記載されているから、引用発明の「高圧電源４」が、本願発明の「Ｘ線管にＸ線管電圧、Ｘ線管電流を供給する高圧発生器」に相当する。
　また、上記引用刊行物Ａの（Ａ−１）の段落番号【０００２】には、撮影条件として、管電圧及び管電流が含まれることが記載され、さらに（Ａ−４）の段落番号【００２５】には、撮影条件として設定された管電圧、管電流で被写体にＸ線を照射することが記載されていることから、引用発明のＸ線撮影装置は、撮影条件の管電圧、管電流で高圧電源４が制御されてＸ線が照射されるものであり、本願発明と同様に「Ｘ線撮影装置に備えられたＸ線管にＸ線管電圧、Ｘ線管電流を供給する高圧発生器や前記Ｘ線管を、指定された撮影制御条件に従って制御するＸ線制御装置」を有するものである。
　（ii）　上記引用刊行物Ａには、図１１の液晶タッチパネルのＭ１１〜Ｍ４６のマトリクスのキーの位置に対応してタッチする項目が表示されることは記載されていないが、上記引用刊行物Ａの（Ａ−２）には、撮影部位選択キー１１と被写体厚選択キー１０の交点に対応する例えばＭ２５番地に記憶された撮影条件が読み出されることが記載されているから、引用発明の液晶タッチパネルの例えばＭ２５のマトリクスは選択された撮影部位と被写体厚に対応するマトリクスであることは明らかであり、さらに、タッチするキーの位置に項目が表示されていないと液晶タッチパネルのどの部分をタッチして良いか不明であること、液晶タッチパネルは液晶パネルで構成されているから、当然、表示を目的とした液晶タッチパネルであり、上記引用刊行物Ａの（Ａ−３）にも「この方式によれば、マトリクスの数だけの撮影条件が記憶でき、この画面を切り替えるようにすれば記憶容量は切り替え画面数倍増える。」と記載されていること、及び上記引用刊行物Ｂの（Ｂ−２）に「このタッチパネル３０７には当該撮影室に最適な種類の撮影部位情報である撮影部位が一覧表で示されるようになつている。・・・タッチパネル３０７を操作することにより働かせて任意な撮影部位を指定し」と記載されているように、タッチパネルに操作するための項目を表示することは技術常識（他に、特開平４−２９７２４０号公報の図４、特開平６−１７７号公報の図２（ｂ）、図３のスイッチ３〜５、あるいは実願平４−８０７４２号（実開平６−４４５０９号）のＣＤ−ＲＯＭの図７のキー２〜５参照）であることを鑑みると、引用発明の液晶タッチパネルのＭ１１〜Ｍ４６のマトリックスのキーの位置に対応して撮影部位と被写体厚に関する項目が一覧として表示されていると推認されるものである。
　そうすると引用発明の液晶タッチパネルには、撮影部位と被写体厚に関する項目が一覧として表示され、この「撮影部位と被写体厚に関する項目」は本願発明の「撮影指示項目」に相当するから、引用発明の「液晶タッチパネル」と本願発明１「表示手段」とは「（ａ’）撮影指示項目の一覧を含む画面（以下、この画面を「撮影指示項目選択画面」という）を表示する表示手段」で共通するものである。
　（iii）　上記（ii）に記載したように、液晶タッチパネルには「撮影指示項目」に相当する「撮影部位と被写体厚に関する項目」が表示され、液晶タッチパネルのマトリクス（例えばＭ２５）のキーがタッチされると撮影条件記憶部１２から希望の撮影条件が読み出されることから、引用発明の「撮影条件記憶部１２」が、本願発明の「（ｄ）前記表示手段に表示される各撮影指示項目に対する撮影制御条件を記憶しておく撮影制御条件記憶手段」に相当し、さらに引用発明の「液晶タッチパネルのマトリクス（例えばＭ２５）のキー」が、本願発明の「（ｅ）前記表示手段に表示された各撮影指示項目から所望の撮影指示項目を選択指示する選択指示手段」に相当する。
　（iv）　引用発明の液晶タッチパネルのマトリクス（例えばＭ２５）がタッチされると撮影条件記憶部１２から希望の撮影条件が読み出されることから、引用発明の「Ｘ線撮影装置」は、本願発明と同様に「（ｆ）前記選択指示手段で指示された撮影指示項目に対する撮影制御条件を前記撮影制御条件記憶手段から読み出す読み出し手段」を有することは明らかである。
　（v）　上記（i）に記載したように、引用刊行物Ａの（Ａ−４）の段落番号【００２５】には撮影条件として設定された管電圧、管電流で被写体にＸ線を照射することが記載されていることから、引用発明のＸ線撮影装置は、撮影条件記憶部１２から読み出された撮影条件に基づいて高圧電源４が制御されてＸ線が照射されるものであるから、本願発明と同様に「（ｇ）前記読み出し手段によって読み出された撮影制御条件に従って前記高圧発生器や前記Ｘ線管を制御する制御手段」を有するものである。
　そうすると、本願発明と引用発明とは、
「Ｘ線撮影装置に備えられたＸ線管にＸ線管電圧、Ｘ線管電流を供給する高圧発生器や前記Ｘ線管を、指定された撮影制御条件に従って制御するＸ線制御装置において、
（ａ’）撮影指示項目の一覧を含む画面（以下、この画面を「撮影指示項目選択画面」という）を表示する表示手段と、
（ｄ）前記表示手段に表示される各撮影指示項目に対する撮影制御条件を記憶しておく撮影制御条件記憶手段と、
（ｅ）前記表示手段に表示された各撮影指示項目から所望の撮影指示項目を選択指示する選択指示手段と、
（ｆ）前記選択指示手段で指示された撮影指示項目に対する撮影制御条件を前記撮影制御条件記憶手段から読み出す読み出し手段と、
（ｇ）前記読み出し手段によって読み出された撮影制御条件に従って前記高圧発生器や前記Ｘ線管を制御する制御手段とを備えたことを特徴とするＸ線制御装置。」である点で一致し、次の相違点（ア）で相違している。
・相違点（ア）
　本願発明では、表示手段の表示する撮影指示項目の一覧を含む画面（以下、この画面を「撮影指示項目選択画面」という）を、
「（ａ）医師からＸ線撮影装置の操作者に対してＸ線撮影を指示するための検査依頼箋で指示され得る撮影指示項目の一覧を含む画面」とし、
さらにＸ線制御装置に、
「（ｂ）前記撮影指示項目選択画面を前記表示手段に表示するための表示画面データを記憶しておく表示画面データ記憶手段と、
（ｃ）前記表示画面データ記憶手段に記憶された表示画面データに基づき前記撮影指示項目選択画面を前記表示手段に表示させる表示制御手段」とを備えているのに対して、引用発明ではそのような構成を備えていない点。
　　　　　　　　　
第５　当審の判断
　　　　そこで上記相違点（ア）について検討する。
（ア−１）　上記引用刊行物Ｂの（Ｂ−５）には「このタッチパネル３０７には当該撮影室に最適な種類の撮影部位情報である撮影部位が一覧表で示されるようになつている。第４図（Ａ），（Ｂ），（Ｃ）はその一覧表の具体的な内容を示すものであり、（Ａ）には胸部撮影室３０７Ａに最適な種類となるような６種類の部位が示され、また（Ｂ）には骨膜部撮影室３０７Ｂに最適な種類となるような１５種類の部位が示される。もし１つのタッチパネル上に必要な部位がない場合は、上記キーボード３０３を操作することにより、（Ｃ）のようにさらに、追加の部位（例えば８種類）を容易に用意することができる。このようなタッチパネル３０７には各撮影室毎に最適な種類の撮影部位を可変的に表示させることができる。」ことが記載され、さらに（Ｂ−１）には、「〔発明の技術的背景〕第１図は放射線科情報処理装置ＡにＸ線診断装置Ｂを接続した一般的構成を示すもので、放射線科情報処理装置Ａは受付等に設置されて全体制御系１０１，操作卓１０２，処理結果出力装置１０３を含んでいる。またＸ線診断装置Ｂは１０４Ａ，１０４Ｂ，１０４Ｃ・・・・・・１０４Ｎの複数の撮影室から成っている。放射線科情報処理装置Ａにおける操作卓１０２からは全体制御系１０１に対してＸ線診断装置Ｂによる検査に関する検査データが入力される。この検査データは検査依頼書に記述されて例えば以下のような項目から成り立っている。・・・（ｂ）　　撮影部位情報」と記載されていることから、上記引用刊行物Ｂには、各撮影室のタッチパネル上で検査依頼書に含まれる全ての撮影部位情報が一覧で表示されることは記載されていないものの、例えば、胸部撮影室３０７Ａにいけば、必ず検査依頼書に含まれる胸部の撮影部位情報が一覧で表示され、また、骨膜部撮影室３０７Ｂに行けば、必ず検査依頼書に含まれる骨膜部の撮影部位情報が一覧で表示されることが記載されていることになる。そして、撮影室で行われる検査が、技師が医師が依頼した検査依頼書の記載内容に従って行われることは技術常識（例えば、特開平４−３３３９７１号公報の段落番号【０００４】〜【０００５】、特開平４−３３３９７２号公報の段落番号【０００４】〜【０００５】、特開平７−３２００３４号公報の段落番号【０００３】〜【０００４】参照）であり、さらに、検査依頼の際、指示される撮影部位情報は、例えば特開平７−３７０６１号公報の段落番号【００５２】の【表８】に「検査部位　胸部」と記載されているように、一つの部位の撮影を指示するものであるから、引用刊行物Ｂの各部位に対応した撮影室毎のタッチパネルには、医師から依頼される検査依頼書に含まれる各部位毎の撮影部位情報が撮影条件として一覧で表示されることになる。
（ア−２）　他方、本件出願の特許請求の範囲の請求項１には「（ａ）医師からＸ線撮影装置の操作者に対してＸ線撮影を指示するための検査依頼箋で指示され得る撮影指示項目の一覧を含む画面」と記載されているものの、「（ａ）医師からＸ線撮影装置の操作者に対してＸ線撮影を指示するための検査依頼箋で指示され得る『人体全ての部位の』撮影指示項目の一覧を含む画面」と記載されていないことから、本願発明ではＸ線撮影装置の操作者が撮影指示項目として全ての部位についてＸ線撮影を検査依頼箋で指示されるかどうかは不明である。そして、上記引用刊行物Ｂの（Ｂ−５）に記載されているように、例えば胸部撮影室３０７ＡのＸ線撮影装置の操作者が胸部のみのＸ線撮影を指示される場合に第４図のように胸部に関する６種類の部位の撮影指示項目が一覧で表示されれば、検査依頼書で指示され得る胸部に関する全て部位について全て一覧で表示されることになるから、上記引用刊行物Ｂの各撮影室の撮影部位情報や骨膜部の撮影部位情報の一覧表示するタッチパネルは、本願発明と同様に「（ａ）医師からＸ線撮影装置の操作者に対してＸ線撮影を指示するための検査依頼箋で指示され得る撮影指示項目の一覧を含む画面」を表示することは明らかである。
　そうすると、本願発明において「（ａ）医師からＸ線撮影装置の操作者に対してＸ線撮影を指示するための検査依頼箋で指示され得る撮影指示項目の一覧を含む画面」の「撮影指示項目の一覧を含む画面」は、引用刊行物Ｂの各撮影室のタッチパネルに一覧で表示される胸部の撮影部位情報や骨膜部の撮影部位情報も含まれることになる。
（ア−３）　そして、引用発明の液晶タッチパネルも上記引用刊行物Ｂに記載された各撮影室のタッチパネルもともにＸ線撮影撮影装置でＸ線撮影する際に用いられる撮影部位情報を表示するタッチパネルで共通するものであるから、引用発明においても液晶タッチパネルのＭ１１〜Ｍ４６のマトリックスのキーの位置に対応した撮影部位と被写体厚に関する項目を一覧表示する代わりに、上記引用刊行物Ｂのごとく胸部の撮影部位情報や骨膜部の撮影部位情報を一覧表示すること、すなわち、表示手段の表示する撮影指示項目の一覧を含む画面（以下、この画面を「撮影指示項目選択画面」という）を、「（ａ）医師からＸ線撮影装置の操作者に対してＸ線撮影を指示するための検査依頼箋で指示され得る撮影指示項目の一覧を含む画面」とすることは当業者が容易になし得るものである。
（ア−４）　また、仮に本願発明において「（ａ）医師からＸ線撮影装置の操作者に対してＸ線撮影を指示するための検査依頼箋で指示され得る撮影指示項目の一覧を含む画面」の「撮影指示項目の一覧を含む画面」が、Ｘ線撮影装置の操作者が撮影指示項目として人体全ての部位についてＸ線撮影を検査依頼箋で指示される場合を意味する「『人体全ての部位の』撮影指示項目の一覧を含む画面」である場合についても以下に検討する。
　上記引用刊行物Ｂの（Ｂ−２）には「撮影部位情報を入力するためには従来以下のような入力方式が採られていた。・・・
○２　マルチコントロールによる方式
　・・・撮影部位情報の入力を意図していないＸ線診断装置を利用し、その装置上のパネルに配置されている各部位キーを用いてキー毎に数種の撮影条件登録して、そのうちの一つを選択して撮影条件を設定する。
　〔背景技術の問題点〕
　上記２つの撮影部位情報の入力方式において、・・・
　○２の方式は、パネルに配置されている部位キーは数種類が登録されているだけであり、放射線科情報処理装置の処理上必要とされる種類（通常２００〜３００種）には遠く及ばない欠点がある。
　これはマルチコントロール方式では例えば「手」と総称される部位でも、上記放射線科情報処理装置では「手関節」、「手根胃」、「手指過」等と細かく分類する必要があるからである。このためこのマルチコントロール方式によるＸ線診断装置を利用して、放射線科情報処理装置に対して通信機能を付加するだけでは不十分である。
　またこれを補なうべく部位キー類を増加することも考えられるが、この場合はパネルの構造が複雑となつてしまうのは避けられない。
　さらに複数のＸ線診断装置が設置されている全ての撮影室において、各部位毎の撮影頻度にはバラつきがあり、全ての必要な部位をカバーするような多くの部位キーを設けるのは困難である。」と記載されており、この記載のうち、「またこれを補なうべく部位キー類を増加することも考えられる」の記載、又は「複数のＸ線診断装置が設置されている全ての撮影室において、・・・全ての必要な部位をカバーするような多くの部位キーを設ける」の記載に注目すると、上記引用刊行物Ｂには、１つの撮影室のＸ線診断装置のパネルに全ての撮影部位情報に対応した部位キーを設けることが記載されていることになる。そして、上記（ア−１）に記載したように、撮影室で行われる検査は、技師が医師が依頼した検査依頼書の記載内容に従って検査することが技術常識であり、さらに、検査依頼の際、指示される撮影部位情報は、例えば特開平７−３７０６１号公報の段落番号【００５２】の【表８】に「検査部位　胸部」と記載されているように、一つの部位の撮影を指示するものであるから、引用刊行物Ｂの撮影室のＸ線診断装置のパネルには、医師から依頼される検査依頼書に含まれる全ての部位の撮影部位情報を入力するための部位キーが設けられていることになる。
　そして、引用発明の液晶タッチパネルも上記引用刊行物Ｂに記載された各撮影室のＸ線撮影装置のパネルに設けられた部位キーもともにＸ線撮影撮影装置でＸ線撮影する際に用いられる撮影部位情報を入力する入力手段で共通するものであるから、引用発明においても液晶タッチパネルのＭ１１〜Ｍ４６のマトリックスのキーの位置に対応した撮影部位と被写体厚に関する項目を一覧表示するの代わりに、医師から依頼される検査依頼書に含まれる全ての部位の撮影部位情報の項目を一覧表示すること、すなわち、表示手段の表示する撮影指示項目の一覧を含む画面（以下、この画面を「撮影指示項目選択画面」という）を、「（ａ）医師からＸ線撮影装置の操作者に対してＸ線撮影を指示するための検査依頼箋で指示され得る撮影指示項目の一覧を含む画面」とすることは当業者が容易になし得るものである。
（ア−５）　さらに、Ｘ線ＣＴ装置等の診断装置において、タッチパネルに表示する撮影条件の項目を記憶する記憶装置と、記憶装置の撮影条件の項目を読み出す読み出し手段を設けて、読み出し手段が記憶装置の撮影条件の項目を読み出して表示手段に表示させることは周知（例えば、上記３．（１）（３ａ−１）（ii）に記載した特開平４−２９７２４０号公報［１欄３７〜４２行、２欄１〜３行］、特開平６−１７７号公報［２欄１７〜２５行、３欄３２〜３９行］参照）であることから、引用発明の液晶タッチパネルのＭ１１〜Ｍ４６のマトリックスのキーの位置に対応して撮影部位と被写体厚に関する項目を記憶する記憶装置と、記憶装置の撮影部位と被写体厚に関する項目を読み出す読み出し手段を設けて、読み出し手段が撮影部位と被写体厚に関する項目を読み出して表示手段に表示させること、すなわち、Ｘ線制御装置に、「（ｂ）前記撮影指示項目選択画面を前記表示手段に表示するための表示画面データを記憶しておく表示画面データ記憶手段と、（ｃ）前記表示画面データ記憶手段に記憶された表示画面データに基づき前記撮影指示項目選択画面を前記表示手段に表示させる表示制御手段」とを備えることは当業者が適宜なし得る程度の事項である。
　そして、本願発明によってもたらされる効果は、引用発明、上記引用刊行物Ｂに記載された発明及び周知の技術事項から予測される範囲内のものであり、格別のものではない。
　したがって、本願発明は、引用発明、上記引用刊行物Ｂに記載された発明及び周知の技術事項に基づいて当業者が容易に発明をすることができたものである。
　　　　
　なお、請求人は平成１９年７月１０日提出の意見書において、「しかし、これらの引用例には、「医師からＸ線撮影装置の操作者に対してＸ線撮影を指示するための検査依頼箋で指示され得る撮影指示項目の一覧を含む画面（以下、この画面を「撮影指示項目選択画面」という）を表示し」という本願発明の特徴的構成の開示はありません。即ち、タッチパネルに表示させる操作項目は幾種類かの態様が考えられるわけですが、本願発明は、これを医師からＸ線撮影装置の操作者に対してＸ線撮影を指示するための検査依頼箋で指示され得る撮影指示項目としたことに特徴を有するものであり、かかる特徴的構成の開示がいずれの引用例にも開示及び示唆されていないということです。このことは、本願明細書段落０００９にも記載されておりますように、本願発明は、医師から発行される検査依頼箋で指示される撮影指示項目は、通常、撮影部位（頭部や胸部、膝など）や撮影方法（単純撮影か、フィルムへの断層撮影か等）などの組合わせであり、実際の操作者である技師は、検査依頼箋で指示された撮影部位や撮影方法などを読替えて、どのＸ線撮影装置を用いるかを術式選択キーで選択するとともに、その撮影部位と撮影方法によるＸ線撮影を行なう撮影条件をプリセット選択キーでの選択を要し操作が難しい点を課題としており、いずれの引用例にもかかる課題の開示がないことからも明らかです。」旨の主張をしている。
　しかしながら、上記（ア−１）及び（ア−２）に記載したように、本願発明において「（ａ）医師からＸ線撮影装置の操作者に対してＸ線撮影を指示するための検査依頼箋で指示され得る撮影指示項目の一覧を含む画面」の「撮影指示項目の一覧を含む画面」は、引用刊行物Ｂの各撮影室のタッチパネルに一覧で表示される胸部の撮影部位情報や骨膜部の撮影部位情報も含まれることから、請求人の主張は採用できない。
　さらに、仮に引用刊行物に「医師からＸ線撮影装置の操作者に対してＸ線撮影を指示するための検査依頼箋で指示され得る撮影指示項目の一覧を含む画面（以下、この画面を「撮影指示項目選択画面」という）を表示」構成が記載されていないとしても、上記（ア−４）に記載したように引用刊行物Ｂには、撮影室のＸ線診断装置に医師から依頼される検査依頼書に含まれる全ての部位の撮影部位情報を入力するための部位キーを設ける構成が実質的に記載されており、この構成を引用発明に適用して「医師からＸ線撮影装置の操作者に対してＸ線撮影を指示するための検査依頼箋で指示され得る撮影指示項目の一覧を含む画面（以下、この画面を「撮影指示項目選択画面」という）を表示」する構成を得ることは当業者が容易になし得るものである。
　そして、本願発明には、医師から発行される検査依頼箋で指示される撮影指示項目が「撮影部位（頭部や胸部、膝など）や撮影方法（単純撮影か、フィルムへの断層撮影か等）などの組合わせ」であることは記載されておらず、請求人の「本願発明は、医師から発行される検査依頼箋で指示される撮影指示項目は、通常、撮影部位（頭部や胸部、膝など）や撮影方法（単純撮影か、フィルムへの断層撮影か等）などの組合わせであり、実際の操作者である技師は、検査依頼箋で指示された撮影部位や撮影方法などを読替えて、どのＸ線撮影装置を用いるかを術式選択キーで選択するとともに、その撮影部位と撮影方法によるＸ線撮影を行なう撮影条件をプリセット選択キーでの選択を要し操作が難しい点を課題としており、いずれの引用例にもかかる課題の開示がないことからも明らかです。」旨の主張は、本願発明の記載に基づかない主張であり、採用できないものである。
　　　　　　　　
第６　むすび
　　　　以上のとおりであるから、本願発明は特許法第２９条第２項の規定により特許を受けることができないものであるので、その余の請求項に係る発明について検討するまでもなく、本件出願は、当審で通知した上記拒絶の理由によって拒絶をすべきものである。
　よって、結論のとおり審決する。